(57)【要約】【課題】投影機能が統合された携帯式電子装置を提供すること。【解決手段】本発明に係る電子装置は、本体部及び該本体部に回転可能に枢着される上部ケースを備える。該上部ケースには、貫通孔及び遮蔽カバーが設けられ、前記本体部における貫通孔に対応する位置にはプロジェクターが設けられ、このプロジェクターが発する光線は、上部ケースの貫通孔を介して放出され、前記遮蔽カバーは、該上部ケースに移動可能に装着されるので、前記遮蔽カバーを上部ケースの水平面内で回転させることにより、前記貫通孔を遮蔽する又は露出させることができる。【選択図】図１
2013130870.tif 000002
【特許請求の範囲】
【請求項１】
本体部及び該本体部に回転可能に枢着される上部ケースを備える電子装置であって、
該上部ケースには、貫通孔及び遮蔽カバーが設けられ、前記本体部における該貫通孔に対応する位置にはプロジェクターが設けられ、該プロジェクターが発する光線は、前記上部ケースの前記貫通孔を介して放出され、前記遮蔽カバーは、前記上部ケースに移動可能に装着され、該遮蔽カバーを前記上部ケースの水平面内で回転させることにより、前記貫通孔を遮蔽する又は露出させることを特徴とする電子装置。
【請求項２】
前記遮蔽カバーには透かし彫りの模様が設けられ、前記プロジェクターが発する光線が該遮蔽カバーに照射されると、前記プロジェクターは前記遮蔽カバー上の模様を投影して表示することを特徴とする請求項１に記載の電子装置。
【請求項３】
前記上部ケースにおける前記貫通孔に隣接する位置に軸孔が設けられ、前記遮蔽カバーは回転軸を有し、該回転軸は前記軸孔内に回転可能に装着されることを特徴とする請求項１または２に記載の電子装置。
【請求項４】
前記遮蔽カバーは、前記貫通孔の形状及びサイズに一致する主体部を備え、前記回転軸は、連接ロッドを介して前記主体部と互いに連接することを特徴とする請求項３に記載の電子装置。
【請求項５】
前記連接ロッドの長さは、前記貫通孔の縁から前記軸孔の縁までの距離に等しいことを特徴とする請求項４に記載の電子装置。
【発明の詳細な説明】
【技術分野】
【０００１】
本発明は、電子装置に関し、特に投影機能を持つ電子装置に関するものである。
【背景技術】
【０００２】
ノートパソコン等の携帯式電子装置は、携帯できるという利便性から、出張、会議等の各種の場面において幅広く使用されている。例えば、会議中において、ノートパソコンを外部プロジェクターに接続して、この外部プロジェクターを介してノートパソコンの表示画面を更に大きなスクリーン（例えば、壁等）に投影して表示させる。これにより、会議の参加者は皆同時に、小型のノートパソコンに表示された画面を閲覧することができる。
【０００３】
しかし、このような場合、プロジェクターを別途に容易しなければならないため、携帯に不便である。
【発明の概要】
【発明が解決しようとする課題】
【０００４】
本発明は、上記の問題点に鑑みてなされたものであり、投影機能が統合された携帯式電子装置を提供することを目的とする。
【課題を解決するための手段】
【０００５】
上記の目的を達成するために、本発明に係る電子装置は、本体部及び該本体部に回転可能に枢着される上部ケースを備える。該上部ケースには、貫通孔及び遮蔽カバーが設けられ、前記本体部における貫通孔に対応する位置にはプロジェクターが設けられ、このプロジェクターが発する光線は、上部ケースの貫通孔を介して放出され、前記遮蔽カバーは、該上部ケースに移動可能に装着されるので、前記遮蔽カバーを上部ケースの水平面内で回転させることにより、該貫通孔を遮蔽する又は露出させることができる。
【発明の効果】
【０００６】
従来の技術とは異なり、本発明の電子装置には、プロジェクターが設けられているため、投影機能を任意の場所で容易に利用することができる。
【図面の簡単な説明】
【０００７】
【図１】本発明の実施形態に係る電子装置の分解図である。
【図２】図１に示した電子装置の組立図である。
【図３】図２に示した電子装置の使用状態を示す図である。
【発明を実施するための形態】
【０００８】
図１に示すように、本発明の実施形態に係る電子装置１００は、上部ケース１０、本体部２０及び遮蔽カバー３０を備える。
【０００９】
上部ケース１０は、本体部２０の長手方向に沿う一端に回転可能に枢着される。上部ケース１０の中央部には、該上部ケース１０自体を貫通する貫通孔１１が設けられている。上部ケース１０における貫通孔１１に隣接する位置には軸孔１４が設けられている。本実施形態において、貫通孔１１は円形孔である。
【００１０】
本体部２０における上部ケース１０の貫通孔１１に対応する位置には、プロジェクター２１が装着されている。上部ケース１０が本体部２０に対して閉じられて、上部ケース１０が本体部２０を覆っている場合に、貫通孔１１とプロジェクター２１との位置は、完全に重なっている。プロジェクター２１が発する光は、貫通孔１１を介して外へ放出される。
【００１１】
遮蔽カバー３０は、上部ケース１０に回転可能に装着され、遮蔽カバー３０を上部ケース１０の水平面内で回転させることにより、貫通孔１１を遮蔽する又は露出させる。また、遮蔽カバー３０は、主体部３１及び回転軸３４を備える。主体部３１の形状及びサイズは貫通孔１１の形状及びサイズと同じである。回転軸３４は、１つの連接ロッド３２を介して主体部３１に連接され且つ軸孔１４内に回転可能に装着される。連接ロッド３２の長さは、貫通孔１１の縁から軸孔１４の縁までの距離に等しい。また、遮蔽カバー３０は、塵等が貫通孔１１から電子装置１００の内部に入ることを防止することができる。
【００１２】
図２及び図３に示すように、電子装置１００を組み立てる場合、先ず、上部ケース１０を本体部２０に回転可能に枢着する。次いで、遮蔽カバー３０の回転軸３４を上部ケース１０の軸孔１４内に装着すれば良い。
【００１３】
本発明の電子装置１００の投影機能を利用する場合、上部ケース１０に装着された遮蔽カバー３０の主体部３１を、回転軸３４を軸として回転させて貫通孔１１を露出させると、本体部２０に設けられたプロジェクター２１が発する光は、貫通孔１１を通って放出されて、壁等の大型スクリーンに投射されて所定の内容を表示することができる。
【００１４】
電子装置１００の投影機能を使用しない場合は、上部ケース１０の上面で、遮蔽カバー３０を回転させて、遮蔽カバー３０の主体部３１を貫通孔１１の上方に被覆させれば良い。この際、プロジェクター２１はシャットオフする。
【００１５】
変形例として、遮蔽カバー３０の主体部３１に、透かし彫りの模様（例えば、会社のロゴマーク等）を設けても良い。これにより、遮蔽カバー３０の主体部３１は貫通孔１１を遮蔽している際に、プロジェクター２１を起動させると、プロジェクター２１が発する光線は、主体部３１に照射され、主体部３１の模様を投影して表示させることができる。
【００１６】
以上、本発明の好適な実施形態について詳細に説明したが、本発明は実施形態に限定されるものではなく、本発明の範囲内で種々の変形又は修正が可能であり、該変形又は修正も本発明の特許請求の範囲内に含まれるものであることは言うまでもない。
【符号の説明】
【００１７】
１０  上部ケース
１１  貫通孔
１４  軸孔
２０  本体部
２１  プロジェクター
３０  遮蔽カバー
３１  主体部
３２  連接ロッド
３４  回転軸
１００  電子装置
【図１】
2013130870.tif 000003
【図２】
2013130870.tif 000004
【図３】
2013130870.tif 000005